(57)【要約】【課題】屋内において既存の設備を変更することなく容易に取り外し可能な汎用性のある封止水追加装置を提供すること。【解決手段】本発明は、屋内にある排水管Ｂの封止水Ｗの消失をなくし該排水管Ｂから侵入する臭気、害虫及び害獣を阻止するための封止水追加装置Ａであって、フレキシブル中空管１と該フレキシブル中空管１の中間位置に設けられた送水調整部２と、前記フレキシブル中空管１の一端に設けられた蛇口装着部１２と、前記フレキシブル中空管１の他端に設けられた遊挿部３とを有し、前記遊挿部３が前記排水管Ｂの開口部Ｃに遊挿され前記蛇口装着部１２が上水供給用の蛇口部Ｄに装着されるものである封止水追加装置Ａ。【選択図】図５
2018193696.tif 000002
【特許請求の範囲】
【請求項１】
屋内にある排水管の封止水の消失をなくし該排水管から侵入する臭気、害虫及び害獣を阻止するための封止水追加装置であって、フレキシブル中空管と該フレキシブル中空管の中間位置に設けられた送水調整部と、前記フレキシブル中空管の一端に設けられた蛇口装着部と、前記フレキシブル中空管の他端に設けられた遊挿部とを有し、前記遊挿部が前記排水管の開口部に遊挿され前記蛇口装着部が上水供給用の蛇口部に装着されるものであることを特徴とする封止水追加装置。
【請求項２】
前記遊挿部が前記開口部から外れないようにするための固定具を設けたことを特徴とする請求項１記載の封止水追加装置。
【請求項３】
前記フレキシブル中空管に前記遊挿部が複数となる分岐部を設けたことを特徴とする請求項１記載の封止水追加装置。
【請求項４】
前記送水調整部は一定の間隔で一定の量だけ、通水を行う機能を有するものであることを特徴とする請求項１記載の封止水追加方法。
【請求項５】
前記フレキシブル中空管に前記送水調整部が取り外し自在となっていることを特徴とする請求項１記載の封止水追加装置。
【発明の詳細な説明】
【技術分野】
【０００１】
本発明は、封止水追加装置に関し、更に詳しくは、屋内において、既存の設備を変更することなく容易に取り外し可能な汎用性のある封止水追加装置に関する。
【背景技術】
【０００２】
建物の排水管は、屋内に開口部を有する。開口部が連通する下水道から、屋内へ臭気や害虫・害獣が侵入することを防止するため、封止水トラップが広く用いられている。
これは図１４（Ａ）に示すように、排水管をＳ字状に屈曲させたり、図１５（Ａ）に示すように、排水管を貫通させた椀状の部材を備え、排水の一部を留められるような構造となったものである。
この留められた排水を封止水とし、封止水により下水道と生活空間を遮断することで、下水管からの臭気や外注・害獣の侵入を防いでいる。
【０００３】
一方、封止水トラップは排水を利用するものであるため、排水が長く発生しない状態、すなわち建物が長期間利用されていない場合には、図１４（Ｂ）や図１５（Ｂ）に示すように封止水トラップの封止水が蒸発してしまい、また、低気圧の通過等の際の負圧で、封止水が下水側へ引き出され、破封状態となることがある。
封止水が蒸発したり、低気圧の通過等の際の負圧で、封止水が下水側へ引き込まれると、封止水が消失し、下水道と生活空間が連通し、下水道から臭気、害虫及び害獣が生活空間へ侵入してしまうこととなる。
【０００４】
これを防ぐために、定期的に封止水を追加する方法や装置が開発されている（特許文献１、特許文献２）。
特許文献１の方法は、配管設備から変更する必要があり、大掛かりな工事、あるいは建物の建築段階からの装置の設置が必要となる。
また、封止水の蒸発防止が不要となった際に、用いた装置を撤去することができない。
特に、集合住宅の空室など、不定期に発生し、不使用期間が不定である建物に用いるのに有用とはいえない。
【０００５】
特許文献２の装置はトイレに用いるものであり、トイレ以外の開口部には用いることができない。
建物内の開口部はトイレ以外にも多数あり、封止水が蒸発すると、臭気等の防止がなされないという問題があった。
【０００６】
一方で、定期的に、定量の水を目的の場所に通水する装置、方法が知られている。
【先行技術文献】
【特許文献】
【０００７】
【特許文献１】特開２００４−３６０４４２号公報
【特許文献２】特開２０１６−１３０４４２号公報
【発明の概要】
【発明が解決しようとする課題】
【０００８】
本発明は、上述の課題を受けて開発されたものである。すなわち、本発明は、屋内において既存の設備を変更することなく容易に取り外し可能な汎用性のある封止水追加装置を提供することを目的とする。
【課題を解決するための手段】
【０００９】
本発明者は鋭意検討の結果、建物内の排水管の開口部と蛇口部との間を取り外し自在で送水機能を有する屈曲可能な中空管で連結することで、屋内の設備を変更することなく、取り付け撤去が簡易に行えることを見出し、この知見により本発明を完成させるに至ったものである。
【００１０】
すなわち本発明は（１）、屋内にある排水管の封止水の消失をなくし該排水管から侵入する臭気、害虫及び害獣を阻止するための封止水追加装置であって、フレキシブル中空管と該フレキシブル中空管の中間位置に設けられた送水調整部と、前記フレキシブル中空管の一端に設けられた蛇口装着部と、前記フレキシブル中空管の他端に設けられた遊挿部とを有し、前記遊挿部が前記排水管の開口部に遊挿され前記蛇口装着部が上水供給用の蛇口部に装着されるものである封止水追加装置に存する。
【００１１】
すなわち本発明は（２）、前記遊挿部が前記開口部から外れないようにするための固定具を設けた上記（１）記載の封止水追加装置に存する。
【００１２】
すなわち本発明は（３）、前記フレキシブル中空管に前記遊挿部が複数となる分岐部を設けた上記（１）記載の封止水追加装置に存する。
【００１３】
すなわち本発明は（４）、前記送水調整部は一定の間隔で一定の量だけ、通水を行う機能を有するものである上記（１）記載の封止水追加方法。
【００１４】
すなわち本発明は（５）、前記フレキシブル中空管に前記送水調整部が取り外し自在となっている上記（１）記載の封止水追加装置に存する。
【発明の効果】
【００１５】
本発明は、屋内にある排水管の封止水の消失をなくし該排水管から侵入する臭気、害虫及び害獣を阻止するための封止水追加装置であって、フレキシブル中空管と該フレキシブル中空管の中間位置に設けられた送水調整部と、前記フレキシブル中空管の一端に設けられた蛇口装着部と、前記フレキシブル中空管の他端に設けられた遊挿部とを有し、前記遊挿部が前記排水管の開口部に遊挿され前記蛇口装着部が上水供給用の蛇口部に装着されるものであることにより、既存の建物設備を変更することなく容易に付け外しが可能であり、かつ効果的に封止水トラップへ封止水を追加することができる。
【００１６】
本発明は、前記遊挿部が前記開口部から外れないようにするための固定具を設けたことにより、通水の際にもフレキシブル中空管が暴れずに、周囲を汚損せずに封止水を追加することが可能である。
【００１７】
本発明は、前記フレキシブル中空管に前記遊挿部が複数となる分岐部を設けたことにより、１つの送水調整部を利用して複数の開口部へ封止水を追加することが可能である。
【００１８】
本発明は、前記送水調整部は一定の間隔で一定の量だけ、通水を行う機能を有するものであることにより、少量の水で効果的に封止水を必要十分量、追加することができる。
【００１９】
前記フレキシブル中空管に前記送水調整部が取り外し自在となっていることにより、設置スペースの大きさに合わせてフレキシブル中空管の追加、省略を自在に行うことができる。
【図面の簡単な説明】
【００２０】
【図１】図１は、封止水追加装置を示す外観図である。
【図２】図２は、固定具の例を示す説明図であり、（Ａ）は固定具を示す上面図、また（Ｂ）は固定具を示す側面図である。
【図３】図３は、送水調整部を示す正面図である。
【図４】図４は、封止水追加装置Ａの使用例（取り付け前の状態）を示す説明図である。
【図５】図５は、封止水追加装置Ａの使用例（取り付け後の状態）を示す説明図である。
【図６】図６は、固定具の実施形態を示す説明図であり、（Ａ）は固定具を示す斜視図、（Ｂ）は固定具を用いた取り付け例を示す説明図である。
【図７】図７は、固定具の別の実施形態を示す図であり、（Ａ）は、トイレに固定具を用いて遊挿部を固定した状態を示す斜視図であり、（Ｂ）は固定具を示す斜視図である。
【図８】図８は、固定具の別の実施形態を示す図であり、（Ａ）はクリップ構造のものにおいて、フレキシブル中空管を固定する部分を上方に設けたものを示す斜視図であり、（Ｂ）は、固定具がハサミ構造を有するものを示す側面図である。
【図９】図９は、分岐部を取り付けた封止水追加装置を示す外観図である。
【図１０】図１０は、分岐部を拡大して示す外観図である。
【図１１】図１１は、分岐部の他の実施形態を示す斜視図である。
【図１２】図１２は、封止水追加装置の使用方法を示すフローチャートである。
【図１３】図１３は、封止水追加装置を示す説明図である。
【図１４】図１４は、封止水トラップの原理を示す説明図である。
【図１５】図１５は、封止水トラップの原理を示す説明図である。
【発明を実施するための形態】
【００２１】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２２】
図１は、封止水追加装置Ａを示す側面図である。
本発明の封止水追加装置Ａは、フレキシブル中空管１と該フレキシブル中空管１の一端に設けられた蛇口装着部１２と他端に設けられた遊挿部３とを有する。
フレキシブル中空管１の中間位置には、送水調整部２が設けられている。
【００２３】
封止水追加装置Ａは、一方側の遊挿部３を排水管Ｂの開口部Ｃに遊挿し、他方側の蛇口装着部１２を上水供給用の蛇口部Ｄに装着して用いるものである。
本明細書において開口部Ｃとは、排水のために建物内に設けられて下水側へと繋がる（連絡される）排水管Ｂの開口している部分を言う。
尚、開口部Ｃは、建物内において、キッチン、トイレ、洗面所、風呂等の各所トラップに設けられている。
【００２４】
図２は、固定具３１の例を示す説明図である。
図２（Ａ）は固定具３１を示す上面図、図２（Ｂ）は固定具３１を示す側面図である。尚、一点鎖線はフレキシブル中空管を示す。
遊挿部３には、遊挿部３が開口部Ｃから外れないようにするための固定具３１が設けられている。
【００２５】
固定具３１は、フレキシブル中空管１を挿通して保持する円筒部と、円筒部の対角線上からそれぞれ延出する２つのＬ字状のフランジ部、及びフランジ部のそれぞれに回動自在に取り付けられた止めネジからなる。
円筒部の内径は、フレキシブル中空管１の外径よりも大きく、フレキシブル中空管１を挿通保持できる大きさとなっている。
【００２６】
止めネジの先端は外方へ突出しており、止めネジを回動させることにより突出の長さを変更することができる。
固定具３１を開口部Ｃへ差し込んだ後、止めネジを回動させて外側に突出させることで開口部Ｃに当接させ（詳しくは、開口部Ｃの内壁に圧接させ）、固定具３１を開口部Ｃに固定する。
固定具３１は、全幅が開口部Ｃの内径に収まる大きさに設定されている。
【００２７】
図３は、送水調整部２を示す正面図である。
送水調整部２は、両端をフレキシブル中空管１に挿通して用いる。
送水調整部２には、開口部Ｃへとつながるフレキシブル中空管１を取り付ける排水管側取付部２１、蛇口部Ｄへつながるフレキシブル中空管１を取り付ける蛇口側取付部２２を有する。
排水管側取付部２１はフレキシブル中空管１の内径よりも径の小さい略円筒状に設けられ、外側には滑り止めとなる凹凸が設けられることが好ましい。
この凹凸とフレキシブル中空管１の内壁との間に働く摩擦力により、フレキシブル中空管１が排水管側取付部２１に強く固定される。
【００２８】
一方蛇口側取付部２２は、フレキシブル中空管１の先端を挿入できるよう円筒状に形成され、送水調整部２からフレキシブル中空管１を抜けないようにするための、例えばネジが設けられている。
送水調整部２を屋内の蛇口部Ｄに取り付ける場合には、フレキシブル中空管１の先端を蛇口側取付部２２に押し入れ、その後、ネジを締めることによって確実に固定する。
すなわち、送水調整部２はフレキシブル中空管１に対して、取り外し自在に設けられている。
【００２９】
フレキシブル中空管１に送水調整部２が取り外し自在となっていることにより、屋内の設置スペースの大きさに合わせて、適宜、フレキシブル中空管１の長さの変更等を行うことができる。
【００３０】
送水調整部２は蛇口装着部１２から遊挿部３までの間を通水できるもので、フレキシブル中空管１を通過する水の量（通水量）、間隔等を調整できる機構を備えている。
送水調整部２には、上述した通水量、通水間隔を設定するための操作盤と、かかる設定を表示するための表示盤を備えている。
すなわち、送水調整部２は一定の間隔で一定の量だけ、常時、フレキシブル中空管１に通水を行う機能を有するものである。
これにより開口部に必要量の封止水Ｗを安定して追加供給することができる。
【００３１】
送水調整部２の動力源には適宜の物を利用できるが、電池式が好ましく用いられる。
これにより封止水追加装置Ａを、場所を選ばずに設置することができ、長期間不在となる空き家等においても、電気基本使用料が発生しない。
【００３２】
フレキシブル中空管１は可撓性を有し屈曲可能なチューブ状の部材であり、ゴム、合成樹脂等の材質からなる。
【００３３】
図４は、封止水追加装置Ａの使用例（取り付け前の状態）を示す説明図である。
尚、開口部Ｃ３は図１２に示す椀型の封止水Ｗトラップで示す。
封止水追加装置Ａは、そのフレキシブル中空管１の蛇口装着部１２が建物の蛇口部Ｄに取り付けられてなく、また遊挿部３は開口部Ｃに取り付けられていない状態であり、未セット状態である。
【００３４】
図５は、封止水追加装置Ａの使用例（取り付け後の状態）を示す説明図である。
封止水追加装置Ａは、そのフレキシブル中空管１の蛇口装着部１２が建物の蛇口部Ｄに取り付けられ、また遊挿部３は開口部Ｃに取り付けられており、セット状態である。
遊挿部３を開口部Ｃに差し込んだ後に、遊挿部３に取り付けられた固定具３１の止めネジを回動調整させることにより、固定具３１を開口部Ｃに確実に固定する。
これにより、通水の際にもフレキシブル中空管１が外れず、周囲が水浸しになるのを防止できる。
この状態で、送水調整部２を作動させることで、フレキシブル中空管内に通水でき封止水Ｗを追加することが可能である。
これにより、封止水Ｗが維持され、臭気、害虫及び害獣の侵入を防ぐことができる。
【００３５】
図６は、固定具３１の実施形態を示す説明図であり、図６（Ａ）は固定具３１を示す斜視図、図６（Ｂ）は固定具３１を用いた取り付け例を示す説明図である。
本実施形態に係る固定具３１は、図６（Ａ）の矢印の通り回動自在となっている円筒部３１ａと該円筒部３１ａと一体的に形成された基板部３１ｂよりなる。
円筒部３１ａは、一部が欠損されたスリット３１ｓを備えている。
円筒部３１ａの外側には、円筒部３１ａを拡径開閉させるためのツマミ部３１ｃが形成される。
固定具３１は、弾性を有する材料（例えば合成樹脂等）よりなる。
基板部３１ｂの下側は粘着性を有し、壁や床等に貼り付けられるようになっている。
例えば、両面テープを貼り付けても良い。
円筒部３１ａの内径は、フレキシブル中空管１の外径よりも大きく、フレキシブル中空管１を挿入保持可能である。
【００３６】
本実施形態に係る固定具３１を用いる場合、例えばシンクの内壁等に基板部を貼り付けて固定し、ツマミ部を摘まんで円筒部を開閉し、円筒部にフレキシブル中空管１を挿通する。
【００３７】
図７は、他の実施形態に係る固定具３１を示す斜視図である。
図７（Ａ）は、トイレ（詳しくはトイレの便器）に固定具３１を用いて遊挿部３を固定した状態を示す斜視図である。
また、図７（Ｂ）は固定具自体を示す斜視図である。
【００３８】
本実施形態にかかる固定具３１は、クリップ構造であり、弾性を有する材料（例えば合成樹脂等）よりなるもので全体としてＵ字状に形成されている。
Ｕ字状部の股の部分は一部が内側に突出して円形状となっておりフレキシブル中空管１、を挿入して保持できる内壁部を形成している。
内壁部の径は、フレキシブル中空管１の外径よりも大きく、フレキシブル中空管１を挿入保持可能である。
【００３９】
本実施形態の固定具３１を用いる際には、内壁部にフレキシブル中空管１を挿入し、その後、二股となった部分で開口部の周囲であるトイレ等の側壁を挟み込む。
固定具３１の有する弾性或いは復帰力によりフレキシブル中空管１は固定具３１に固定され、一挙に固定具３１がトイレの側壁に固定される。
【００４０】
図８は、他の実施形態に係る固定具３１を示す説明図である。
図８（Ａ）はクリップ構造のものにおいて、フレキシブル中空管１を固定する部分を上方に設けたものを示す斜視図である。
本実施形態にかかる固定具３１は、クリップ構造の上方に突片が形成されており、この突片がフレキシブル中空管１を把持するための部分となっている。
この突片には切り欠きとそれに通じる保持孔が形成されており、フレキシブル中空管１は切り欠きを介して保持孔に押し入れられる。
保持孔の径は、フレキシブル中空管１の外径よりも大きく、フレキシブル中空管１を保持できる程度である。
【００４１】
この固定具３１は図６、図７の固定具３１と同様に弾性を有する材料（例えば合成樹脂等）より形成されている。
本実施形態の固定具３１によれば、固定具３１をトイレの側壁に固定した状態で、フレキシブル中空管１を保持できる利点がある。
【００４２】
図８（Ｂ）は、固定具３１がハサミ構造を有するものを示す側面図である。
尚、矢印は、バネ部の弾性力が働く方向を示す。
本実施形態の固定具３１は、ハサミ構造のもので開口部Ｃに固定具３１を固定する固定部、フレキシブル中空管１を保持する内壁部、固定部を閉じた状態に弾性力を発揮するバネ部、取っ手部等を備える。
内壁部の径は、フレキシブル中空管１の外径よりも大きく、フレキシブル中空管１を保持できる程度となっている。
【００４３】
本実施形態の固定具３１を用いる際には、取っ手部をバネ部の弾性力に抗して近づけ固定部及び内壁部を開き、該内壁部にフレキシブル中空管１を保持させた状態でトイレの側壁を把持固定する。
本実施形態の固定具３１によれば、少ない力でかつ、極力、開口部Ｃに触れずに固定具３１を固定することができ、取り外しが容易でかつ衛生的である。
【００４４】
これらの固定具３１は、扱いが簡単であり、取り外しや取り付けがワンタッチで行え、また開口部Ｃ（トイレ等）を傷つけずに用いることができる。
そのため封止水追加装置Ａを撤去する際の原状復帰が容易である。
また、設置場所と同系色の固定具３１を用いれば、封止水追加装置Ａの使用中であっても、外観上の美観を保てる。
【００４５】
ところで、本発明の封止水追加装置Ａは、建物内の開口部Ｃの数に合わせて、フレキシブル中空管１を分岐させることが可能である。
この場合、フレキシブル中空管１に分岐部１１を取り付けて分岐させる。
【００４６】
図９は、分岐部１１を取り付けた封止水追加装置Ａを示す外観図である。
図１０は、分岐部１１を拡大して示す外観図である。
分岐部１１は３つ以上の分岐先を有しており、それぞれの末端にはフレキシブル中空管１を固定できる管取付部を有する。
フレキシブル中空管１に遊挿部３が複数となる分岐部１１を設けたことにより、１つの送水調整部２を利用して複数の開口部Ｃへ封止水Ｗを送水することが可能である。
【００４７】
図１１は、分岐部１１の他の実施形態を示す斜視図である。
本実施形態の分岐部１１は、全体として一端が閉塞された円筒状の大径部を備え、開放されたもう一端に、フレキシブル中空管１或いは送水調整部２に取り付けるためのネジ構造を有する。
大径部と直交する方向に、さらに円筒状の小径部が複数突出して形成されており、大径部の中空と小径部の中空は連続している。
本実施形態に係る分岐部１１は、合成樹脂等により一体的に形成される。
【００４８】
本実施形態に係る分岐部１１を用いる際には、大径部をフレキシブル中空間１或いは送水調整部に取り付けた後、小径部に開口部Ｃへとつながるフレキシブル中空管１を取り付ける。
この際、使用しない小径部には蓋を取り付けることで、水の漏出を防ぐことができる。
【００４９】
以下、追加装置Ａの使用方法を説明する。
図１２は、封止水追加装置Ａの使用方法を示すフローチャートである。
まず、封止水追加装置Ａを用意する。
そして、送水調整部２が取り付けられたフレキシブル中空管１の蛇口装着部１２を、屋内に設置された蛇口部Ｄに取り付ける。
この場合、蛇口装着部１２を蛇口部Ｄに押し入れることにより簡単に装着される。
次に、遊挿部３を開口部Ｃに遊挿する。
【００５０】
この場合、屋内に開口部Ｃが複数ある場合には、分岐部１１により分岐させて、それぞれの開口部Ｃへ遊挿部３を遊挿することとなる。
次に、固定具３１により遊挿部３を開口部Ｃに固定する。
開口部Ｃの形状に応じ、図２に示した固定具３１や図６〜８で示す固定具３１を、適宜使い分けることができる。
【００５１】
これにより、後述する通水時のフレキシブル中空管１が開口部Ｃから外れるのを確実に防ぐことができる。
【００５２】
次に、送水調整部２の通水量、通水間隔を設定し、作動させる。
蛇口部Ｄと送水調整部２を閉じた状態から開いて通水する。
送水調整部２が設定通りに作動することにより、無駄なく給水が行われ封止水Ｗトラップに封止水Ｗが有効に供給される。
ここで給水量は、開口部Ｃ１つにつき、１日当たり２〜１０リットル程度が望ましい。
また、封止水Ｗトラップの容積等には規格のバラツキがあるため、封止水Ｗの状況を見ながら適宜給水量を調整できる。
【００５３】
なお、建物の使用開始や内覧等、封止水追加装置Ａを取り外す必要が出た際には、送水調整部２を停止させ、開口部Ｃから遊挿部３を固定具３１と共に取り外し、更に蛇口部から送水調整部２を取り外して、容易に原状復帰ができる。
封止水追加装置Ａは、取り外した後、フレキシブル中空管１の部分は巻回して容積を縮小できるので、コンパクトに収納できスペースを取らない。
【００５４】
図１３は、封止水追加装置の設置例を示す説明図である。
図に示す通り、本発明の封止水追加装置Ａは、１つの封止水追加装置Ａ及び１つの蛇口部Ｄから、複数の開口部Ｃ（風呂場、洗濯機、洗面台、キッチン、トイレ、トイレ手洗い…等）に対応して封止水を追加することができるため、設置環境（対象となる建物の設計仕様）に左右されずに用いることができる。
【００５５】
以上、本発明の好適な実施形態について説明したが、本発明は上記実施形態に限定されるものではない。
【００５６】
例えば、送水調整部２は電池式に限らず、コンセントに接続して用いる形式のものを用いることができる。これにより、送水調整部２が動力切れを起こすことがなく、安定的に封止水Ｗの追加を行うことができる。
【００５７】
フレキシブル中空管１は、樹脂製の他、屈曲可能なものであれば、例えば金属製のものも使用可能である。
また、固定具３１は遊挿部３を開口部Ｃに固定できるものであれば、他の構造のものに設計変更可能である。
その場合、フレキシブル中空管１と同時に開口部Ｃにも取り付けられることが必要である。
【産業上の利用可能性】
【００５８】
本発明の封止水追加装置Ａは、空室のマンション等の屋内に限らず、排水口に連絡する開口部Ｃが存在するところであれば、有効であり広く利用できる。
【符号の説明】
【００５９】
１・・・フレキシブル中空管
１１・・・分岐部
１２・・・蛇口装着部
２・・・送水調整部
２１・・・排水管側取付部
２２・・・蛇口側取付部
３・・・遊挿部
３１・・・固定具
Ａ・・・封止水追加装置
Ｂ・・・排水管
Ｃ・・・開口部
Ｄ・・・蛇口部
Ｗ・・・封止水
【図１】
2018193696.tif 000003
【図２】
2018193696.tif 000004
【図３】
2018193696.tif 000005
【図４】
2018193696.tif 000006
【図５】
2018193696.tif 000007
【図６】
2018193696.tif 000008
【図７】
2018193696.tif 000009
【図８】
2018193696.tif 000010
【図９】
2018193696.tif 000011
【図１０】
2018193696.tif 000012
【図１１】
2018193696.tif 000013
【図１２】
2018193696.tif 000014
【図１３】
2018193696.tif 000015
【図１４】
2018193696.tif 000016
【図１５】
2018193696.tif 000017